(57)【要約】      （修正有）【課題】フレームの筒部の室外側のシャッターを閉じたときにでも室内への雨水の侵入を防止することができる換気扇を提供する。【解決手段】筒部５の底部２２に上方に凸状のシャッター当て部１２を設け、シャッター当て部１２の最下部に水抜き穴１１に設け、シャッターが閉じるとき、雨水はシャッターと筒部５とにより跳ね返るとともに、筒部５の内面に付着した雨水は内面２３に沿ってシャッター当て部１２に導かれそして水抜き穴１１に導かれ、フレーム６の筒部５の室外側のシャッターを閉じたときにでも室内への雨水の侵入を防止することができる換気扇を得られる。【選択図】図３
2016156538.tif 000002
【特許請求の範囲】
【請求項１】
室内の空気を室外へ導くフランジと筒状部を有したフレームと、前記フランジを覆おうオリフィスとを結合し、前記筒部の内部にはモータとファンとを設け、前記筒部の後方にシャッターを設け、前記シャッターの前方の前記筒部に水抜き穴を設け、前記筒部の底部に上方に凸状のシャッター当て部を設け、前記シャッター当て部の最下部に前記水抜き穴に設けることを特徴とする換気扇。
【請求項２】
筒部に、前記シャッター当て部に接触するようにリブを設けることを特徴とする請求項１に記載の換気扇。
【請求項３】
シャッター当て部の両端と筒部の内面との角度が鈍角にすることを特徴とする請求項１に記載の換気扇。
【発明の詳細な説明】
【技術分野】
【０００１】
本発明は、主に居室や事務所の窓に取り付けられ、室内の空気を室外へ排出して換気する窓用換気扇に関するものである。
【背景技術】
【０００２】
従来、この種の換気扇は、窓ガラスに設置される窓用換気扇が知られている。
【０００３】
以下、特許文献１に記載の窓用換気扇について図４を参照しながら説明する。
【０００４】
図４に示すように、窓ガラス１０１に設けられた円形状の開口１０２に、その内周縁部および内周縁部周囲の室内１０３の側面と室外１０４側面とを覆うようにして、樹脂からなる帯状で断面形状略コの字状のパッキン部材が嵌着されて円環状の弾性枠１０５が形成される。
【０００５】
そして、前記弾性枠１０５内部に、室内１０３側から円筒状の本体１０６が挿入装着されている。
【０００６】
そして、本体１０６の内部の内周壁から突設された固定脚１０７に固定された電動機１０８の回転軸１０９に羽根１１０を固着させた送風機１１１が設けられる。
【０００７】
そして、本体１０６のフランジ部１１２の室内１０３側には、送風機１１１の羽根１１０に空気を案内するオリフィス１１３およびオリフィス１１３の前方を覆う化粧グリル１１４が着脱自在に嵌着されている。
【０００８】
また、本体１０６の室外１０４側の開口部には、この室外１０４側の開口部を開閉する複数枚のシャッター板１１５と、これらのシャッター板１１５を連結する連結板１１６を介してシャッター板１１５を駆動するシャッター開閉装置１１７とからなるシャッター部１１８が設けられている。
【０００９】
そして、シャッター部１１８のシャッター開閉装置１１７は、送風機１１１の電動機１０８に接続されており、送風機１１１の運転時にシャッター板１１５を開放し、送風機１１１の停止時にはシャッター板１１５を閉鎖するように構成されている。
【先行技術文献】
【特許文献】
【００１０】
【特許文献１】特許第３２５５８２４号公報
【発明の概要】
【発明が解決しようとする課題】
【００１１】
このような従来の換気扇においては、フレームの筒部の室外側のシャッターを閉じたとき、筒部とシャッターとの間に隙間が生じ、その隙間から雨が降ったときの雨水が入り込んで筒部を通って室内へ侵入して部屋が汚れる、という課題を有していた。
【００１２】
そこで本発明は、上記従来の課題を解決するものであり、フレームの筒部の室外側のシャッターを閉じたときにでも室内への雨水の侵入を防止することができる換気扇を提供することを目的とする。
【課題を解決するための手段】
【００１３】
そして、この目的を達成するために、本発明は、室内の空気を室外へ導くフランジと筒状部を有したフレームと、前記フランジを覆おうオリフィスとを結合し、前記筒部の内部にはモータとファンとを設け、前記筒部の後方にシャッターを設け、前記シャッターの前方の前記筒部に水抜き穴を設け、前記筒部の底部に上方に凸状のシャッター当て部を設け、前記シャッター当て部の最下部に前記水抜き穴に設けることとしたものであり、これにより所期の目的を達成するものである。
【発明の効果】
【００１４】
本発明によれば、室内の空気を室外へ導くフランジと筒状部を有したフレームと、前記フランジを覆おうオリフィスとを結合し、前記筒部の内部にはモータとファンとを設け、前記筒部の後方にシャッターを設け、前記シャッターの前方の前記筒部に水抜き穴を設け、前記筒部の底部に上方に凸状のシャッター当て部を設け、前記シャッター当て部の最下部に前記水抜き穴に設ける、という構成にしたことにより、シャッターが閉じるとき、雨水はシャッターがシャッター当て部に接触し止まりシャッターと筒部との隙間がなくなるのでシャッターと筒部により跳ね返るとともに、筒部の内面に付着した雨水は内面に沿ってシャッター当て部に導かれそして水抜き穴に導かれることとなるので、フレームの筒部の室外側のシャッターを閉じたときにでも室内への雨水の侵入を防止することができる、という効果を得ることができる。
【図面の簡単な説明】
【００１５】
【図１】本発明の実施の形態１の換気扇の構成を示す分解斜視図
【図２】同換気扇の室内側から見たフレームとシャッターとを示す斜視図
【図３】同換気扇の室外側から見たフレームを示す斜視図
【図４】従来の換気扇の構成を示す側面断面図
【発明を実施するための形態】
【００１６】
本発明の請求項１記載の換気扇は、室内の空気を室外へ導くフランジと筒状部を有したフレームと、前記フランジを覆おうオリフィスとを結合し、前記筒部の内部にはモータとファンとを設け、前記筒部の後方にシャッターを設け、前記シャッターの前方の前記筒部に水抜き穴を設け、前記筒部の底部に上方に凸状のシャッター当て部を設け、前記シャッター当て部の最下部に前記水抜き穴に設ける、という構成を有する。これにより、シャッターが閉じるとき、雨水はシャッターと筒部とにより跳ね返るとともに、筒部の内面に付着した雨水は内面に沿ってシャッター当て部に導かれそして水抜き穴に導かれることとなるので、フレームの筒部の室外側のシャッターを閉じたときにでも室内への雨水の侵入を防止することができる、という効果を奏する。
【００１７】
また、筒部に、前記シャッター当て部に接触するようにリブを設ける、という構成にしてもよい。これにより、シャッター当て部に付着した室内側へ向かう雨水がリブに当たってせき止められることとなるので、シャッターを確実に閉じることができるとともに雨水の室内への浸入を防止することができる、という効果を奏する。
【００１８】
また、シャッター当て部の両端と筒部の内面との角度が鈍角にする、という構成にしてもよい。これにより、筒部に付着した雨水がシャッター当て部の端と筒部の内面との境界線を通過してシャッター当て部の水抜き穴にスムーズに流れることとなるので、筒部の雨水を確実に排出することができる、という効果を奏する。
【００１９】
以下、本発明の実施の形態について図面を参照しながら説明する。
【００２０】
（実施の形態１）
図１〜３に示すように、換気扇の本体１は室内側２の空気を室外側３へ導くように円状のフランジ４と複数の補強リブ２０を有した筒部５とを有し樹脂製のフレーム６を構成している。
【００２１】
そして、フレーム６の室内側２側の前面には、フランジ４を覆おうようにオリフィス７を上下２本のねじ（図示せず）で結合させる。
【００２２】
そして、筒部５の軸方向の中央には、価格の安いＡＣ式のモータ８とプロペラ式のファン９とを設ける。
【００２３】
そして、筒部５の室外側３である後方にこの実施の形態１では４枚のフレーム６と同じ樹脂製のシャッター１０を設ける。
【００２４】
そして、シャッター１０の室外側３である前方の筒部５に水抜き穴１１を設ける。
【００２５】
そして、筒部５の底部２１の上方に凸状（例えば台形状）の室外側３に向かって傾斜したシャッター当て部１２を設ける。
【００２６】
そして、シャッター当て部１２の最下部に水抜き穴１１を設ける。
【００２７】
なお、水抜き穴１１はシャッター当て部１２のより室外側３に設けるのが好ましい。理由は、シャッター当て部１２は室外側３に向かって傾斜しているので、結果、シャッター当て部１２の最低部になり、シャッター当て部１２の上面に付着した雨水は水抜き穴１１に導きやすくなるからである。
【００２８】
そして、モータ８から室内側２方向に回転軸１３が突出しており、回転軸１３にファン９を挿入しスピンナー１４で締め付けることにより、モータ８とファン９とを結合させる。
【００２９】
そして、フレーム６の筒部５の室外側３に面した位置にシャッター１０の固定部１５を設ける。
【００３０】
そして、４枚のシャッター１０を固定部１５に挿入して固定されている。
【００３１】
そして、シャッター１０は連結板１６により、４枚のシャッター１０が連結されており、シャッター１０が連動して動作するようになっている。
【００３２】
また、シャッター１０は電動で開閉する構造ではなく、風圧により自然に４枚のシャッター１０が連動して開閉する構造となっている。
【００３３】
なお、本実施の形態１の換気扇は、通常では窓ガラス（図示せず）に円形の開口（図示せず）を設ける。
【００３４】
そして、前記開口に室内側２から取り付け、室内側２にファン９を有した面を配置し、室外側３にシャッター１０を有した面を配置して、室内側２の空気を室外側３へ排出する換気扇として使用する。
【００３５】
これにより、シャッター１０が閉じるとき、室外側３のシャッター１０に付着した雨水はシャッター１０と筒部５とにより跳ね返るとともに、筒部５の内面２２に付着した雨水は内面２２に沿って下方のシャッター当て部１２に導かれる。
【００３６】
そして、水抜き穴１１に前記雨水が導かれ、室外側３に排出される。
【００３７】
よって、フレーム６の筒部５の室外側３のシャッター１０を閉じたときにでも室内側２への雨水の侵入を防止することができる。
【００３８】
また、筒部５に、シャッター当て部１２に接触するようにシャッター当て部１２より高いリブ１７を設ける。
【００３９】
これにより、シャッター当て部１２の上面に付着した室内側２へ向かう雨水は、リブ１７に当たってせき止められることとなるので、シャッター１０を確実に閉じることができるとともに雨水の室内への浸入を防止することができる。
【００４０】
また、せき止められた前記雨水は、ほとんどシャッター当て部１２の傾斜に沿って室外側３に排出される。
【００４１】
また、シャッター当て部１２の両端と筒部５の内面との角度が鈍角１８にする。
【００４２】
これにより、筒部５の内面２２に付着した前記雨水がシャッター当て部１２の端（両端）と筒部５の内面との境界線１９を通過してシャッター当て部１２の水抜き穴１１にスムーズに流れることとなるので、筒部５の雨水を確実に室外側３へ排出することができる。
【産業上の利用可能性】
【００４３】
本発明にかかる換気扇は、フレームの筒部の室外側のシャッターを閉じたときにでも室内への雨水の侵入を防止することができることを可能とするものであるので、モータを駆動源にして羽根の回転により空気を運搬することに使用される送風機等として有用である。
【図１】
2016156538.tif 000003
【図２】
2016156538.tif 000004
【図３】
2016156538.tif 000005
【図４】
2016156538.tif 000006